(57)【特許請求の範囲】
【請求項１】
所要大の薄金属板からなるジョイント金具本体の両側縁を表面から裏面側中央に向って所要巾に亘り折曲して前記ジョイント金具本体の表面側に所要巾からなる屋根板押え部を形成するとともに前記ジョイント金具本体の両側縁を再び両側外方へ向って折曲して前記屋根板押え部との間に屋根板挿入間隙を有する屋根板受け板部を形成し、さらに前記屋根板押え部の下端を前記屋根板受け板部の裏面側に折曲して係止鈎部とするとともに前記屋根板押え部を平面からみて冂字状に囲繞する如く前記屋根板受け板部に凸条リブ部を設け、かつ前記屋根板受け板部の左右両側縁を所要巾表面側に折曲重合して雨水浸入防止用折曲片部とし、また前記雨水浸入防止用折曲片部を含む前記屋根板受け板部の上縁を所要巾表面側に折曲して庇状の雨水浸入防止用折曲片部とともに前記屋根板受け板部上方部の突合せ縁部の両側部に位置ぎめマークを設けたことを特徴とする位置ぎめマーク付き金属板横葺屋根用ジョイント金具。
【発明の詳細な説明】
【０００１】
【産業上の利用分野】
本発明は、位置ぎめマーク付き金属板横葺屋根用ジョイント金具に関するものである。
【０００２】
【従来の技術】
従来の金属板横葺屋根用ジョイント金具は、図１０示のように下縁全辺に表面から裏面側に向って下地材係止用鈎部３０を形成し、また上縁全辺には裏面から表面に向って屋根板係止用鈎部３１を形成したジョイント金具本体３２（継ぎ手捨て板）の表面中央部に断面略エ状に形成した屋根板抑え部材３３を設け、前記屋根板抑え部材３３と前記ジョイント金具本体３２間の間隙部３４，３４に屋根板３５，３５の各側端縁部３６，３６を挿入し、さらにその上面を所要巾からなる継ぎ手カバー体３７によって覆い、前記継ぎ手カバー体３７の下縁鈎部３８を前記ジョイント金具本体３２の下縁の下地材係止用鈎部３０に、また上縁挿入舌片部３９を前記ジョイント金具本体３２の上縁の屋根板係止用鈎部３１に挿入係止して各屋根板３５，３５をジョイントしていたものである。
【０００３】
【発明が解決しようとする課題】
ところが、上記従来技術は、ジョイント金具本体の各部が継ぎ手捨て板３２、屋根板抑え部材３３、継ぎ手カバー体３７の別個に成形された三部材からなるものであるため、部品数が多くなり、かつまた加工も面倒であり、施工に際しても手間が掛るという問題点があったとともに屋根板３５，３５の押えを継ぎ手カバー体３７の弾性による抑止力によつて行っていたため、前記継ぎ手カバー体３７が脱落した時は、簡単に屋根板３５，３５のジョイントが外れてしまうという問題点があった。
さらにまた前記従来技術のジョイント金具本体は左右両側縁および上縁に雨水浸入防止用折曲片部がないため、該部からの雨水の浸入を防止することができないという問題点があったとともに、屋根板抑え部材３３の間隙部３４，３４に屋根板３５，３５両側端縁の差込み量を規制するための構造がないため、屋根板３５，３５の両側端が間隙部３４，３４の奥までいっぱいに差込まれ、その結果、屋根板３５，３５のエキスパンション効果が無くなるという問題点があった。
【０００４】
【課題を解決するための手段】
本発明は上記課題を解決することを目的とし、所要大の薄金属板からなるジョイント金具本体の両側縁を表面から裏面側中央に向って所要巾に亘り折曲して前記ジョイント金具本体の表面側に所要巾からなる屋根板押え部を形成するとともに前記ジョイント金具本体の両側縁を再び両側外方へ向って折曲して前記屋根板押え部との間に屋根板挿入間隙を有する屋根板受け板部を形成し、さらに前記屋根板押え部の下端を前記屋根板受け板部の裏面側に折曲して係止鈎部とするとともに前記屋根板押え部を囲繞する如く前記屋根板受け板部に凸条リブ部を設け、かつ前記屋根板受け板部の左右両側縁を所要巾表面側に折曲重合して雨水浸入防止用折曲片部とし、また前記雨水浸入防止用折曲片部を含む前記屋根板受け板部の上縁を所要巾表面側に折曲して庇状の雨水浸入防止用折曲片部とするとともに前記屋根板受け板部上方部の突合せ縁部の両側部に位置ぎめマークを設けたことを特徴とするものである。
【０００５】
【作用】
施工に際しては図７示のように屋根下地１９の所定部位にジョイント金具本体１を位置させ、その状態で前記ジョイント金具本体１の屋根板受け板部１１，１１と屋根板押え部１０間の屋根板挿入間隙１２，１２に屋根板２０，２０の各側端縁２０ａ，２０ａを位置ぎめマーク１１ｃ，１１ｃの部位まで挿入し、この状態で前記各屋根板２０，２０のルーズ釘止孔２０ｂ，２０ｂを釘等の止着具２１により屋根下地１９に止着することにより、容易に各屋根板２０，２０のジョイントを行いつつ屋根葺きができるものである。なおこの際前記各屋根板２０，２０の下縁は、前記屋根板押え部１０の下縁に形成した係止鈎部１３の折曲内面によって支持される状態となり下方への脱落が防止されるものである。
【０００６】
【実施例】
以下、本発明の金属板横葺屋根用ジョイント金具の実施例について詳細に説明するが、本発明は以下の実施例に限定されるものではなく、その実施態様を多少変えるように設計変更することは可能である。
図１乃至図９は、本発明の一実施例を示し、図１はジョイント金具本体の展開正面図、図２は同折曲完成時の正面図、図３は同左側面図、図４は同平面図、図５は同背面図、図６は図２におけるＡ−Ａ拡大断面図、図７は施工時の一例を示す正面図、図８は同葺上げ途中の一例を示す一部切欠斜視図、図９は折曲を容易とするための易折曲用凹欠部を設けた他の実施例のジョイント金具本体の展開正面図である。
【０００７】
１は所要大の薄金属板からなるジョイント金具本体で、図１に示すように展開状態においては上縁略中央部に所要巾からなる凹欠部２を有し、かつ前記ジョイント金具本体１の下縁略中央部には所要長さの突片部３を有している。４，４は前記突片部３の両側基端からジョイント金具本体１の両外側縁５，５に向って形成された所要勾配からなる傾斜縁、６，６、７，７、８，８、９、９ａ，９ａは各仮想折曲線である。
なお前記ジョイント金具本体１は図９に示すように傾斜縁４，４の所要個所に折曲を容易とするための易折曲用凹欠部４ａ，４ａを設けることも可能である。
【０００８】
１０は前記仮想折曲線６，６および７，７を各折曲することによりジョイント金具本体１の表面側に形成された屋根板押え部、１１，１１は前記屋根板押え部１０との間に屋根板挿入間隙１２，１２を設けて形成された屋根板受け板部であって、前記屋根板押え部１０より大きい面積からなるものである。なお前記仮想折曲線７，７の間隔を適宜寸法（大）とすることによって前記屋根板押え部１０下面における屋根板挿入間隙１２，１２の奥行きを深め、後述する間隙１２ｂを狭めて屋根板２０，２０の各側端縁の差込み量を充分となし得るものであり、また前記屋根板挿入間隙１２，１２は屋根板２０，２０の板厚に対応して適宜変更し得るものである。１２ａ，１２ａは前記仮想折曲線９ａ，９ａを表面側へ折曲することにより前記屋根板受け板部１１，１１の上縁に形成された所要巾からなる庇状の雨水浸入防止用折曲片部である。１３は図１に示す突片部３を仮想折曲線９部分にて表面から裏面側へ折曲することにより前記屋根板押え部１０の下縁に形成された係止鈎部、１４，１４は前記係止鈎部１３の両側折曲内面に形成された所要巾からなる折曲縁である。１５，１５は前記屋根板受け板部１１，１１の各仮想折曲線８，８を表面側へ折曲することにより前記屋根板受け板部１１，１１の両側縁に形成された所要巾からなる雨水浸入防止用折曲片部であって、施工完了時には前記屋根板押え部１０と相俟って樋の作用をなすものである。
【０００９】
１６，１６は前記屋根板押え部１０を囲繞する如く前記屋根板受け板部１１，１１に設けられた凸条リブ部であって、前記屋根板受け板部１１，１１の面補強および水留め作用をなすものである。１７は前記屋根板受け板部１１，１１の突合せ縁部１１ａ，１１ａ、１１ｂ，１１ｂの裏面側に貼着した被覆紙付き防水用コーキング材であって、周知のものである。１１ｃ，１１ｃは前記屋根板受け板部１１，１１の上方部の突合せ縁部１１ａ，１１ａの両側部に設けた位置ぎめマークであって、突起部その他適宜の標識でもよく、要するに後述する各屋根板２０，２０の各側端縁２０ａ，２０ａの差込み量を規制する目安となるものであればよい。１７ａは前記被覆紙付き防水用コーキング材１７の上縁部であって、前記庇状の雨水浸入防止用折曲片部１２ａ，１２ａの表面側に延長貼着されている。１８は前記防水用コーキング材１７のべた付き、防水性等の劣化を保護するための被覆紙であって、紙以外のものでもよい。１９は屋根下地、２０は屋根板、２０ｂ，２０ｂは前記屋根板２０，２０の釘止め縁部２０ｃ，２０ｃに設けられたルーズ釘止孔であって、屋根板２０，２０を自由度をもって容易に釘止めできる形状、大きさに形成されている。２０ｄ，２０ｄは前記ルーズ釘止孔２０ｂ，２０ｂの上下部に設けられた釘止め突起である。２１は釘、止鋲等の止着具であるが、必要に応じ前記止着具２１を使用しないでジョイント金具本体１に熱膨脹における伸縮性をもたせるようにしてもよい。なおジョイント金具本体１の材質は金属板に限定されるものでない。
【００１０】
【発明の効果】
本発明によると、所要大の薄金属板からなるジョイント金具本体の両側縁を表面から裏面側中央に向って所要巾に亘り折曲して前記ジョイント金具本体の表面側に所要巾からなる屋根板押え部を形成するとともに前記ジョイント金具本体の両側縁を再び両側外方へ向って折曲して前記屋根板押え部との間に屋根板挿入間隙を有する屋根板受け板部を形成し、さらに前記屋根板押え部の下端を前記屋根板受け板部の裏面側に折曲して係止鈎部とするとともに前記屋根板押え部を囲繞する如く前記屋根板受け板部に凸条リブ部を設け、かつ前記屋根板受け板部の左右両側縁を所要巾表面側に折曲重合して雨水浸入防止用折曲片部とし、また前記雨水浸入防止用折曲片部を含む前記屋根板受け板部の上縁を所要巾表面側に折曲して庇状の雨水浸入防止用折曲片部とするとともに前記屋根板受け板部上方部の突合せ縁部の両側部に位置ぎめマークを設けたものであるから、従来のように継ぎ手カバー体を全く必要とせず、しかもジョイント金具本体の各部、即ち屋根板押え部、屋根板受け板部が一枚板で形成されているので部品数が少なくてすみ、加工が容易で、かつ安価に供給できるとともに施工に際しても手間が掛らず、しかも前記屋根板受け板部の屋根板挿入間隙内への各屋根板側端縁の差込み量を位置ぎめマークにより所定個所まで正確に行うことができ、その結果、各屋根板のエキスパンション効果を無くすようなこともないものである。
また、前記屋根板押え部を囲繞する如く前記屋根板受け板部に凸条リブを設けるとともに、前記屋根板受け板部の左右両側縁および上縁に雨水浸入防止用折曲片部を設けたことにより前記屋根板受け板部の面補強、即ち捩れ、曲げ、歪み等に対する強度を向上することができると同時に水留め作用を助長し、屋根板押え部上端からの雨水の浸入を防止することによりジョイント部の水廻りを充分に防止できるものであり、さらに必要に応じて前記屋根板受け板部の各突合せ縁部に防水用コーキング材を塗着することにより、防水効果をより一層顕著なものとなすことができる等の効果がある。
【図面の簡単な説明】
【図１】本発明におけるジョイント金具本体の展開正面図である。
【図２】本発明におけるジョイント金具本体の折曲完成時の正面図である。
【図３】本発明におけるジョイント金具本体の折曲完成時の左側面図である。
【図４】本発明におけるジョイント金具本体の折曲完成時の平面図である。
【図５】本発明におけるジョイント金具本体の折曲完成時の背面図である。
【図６】図２におけるＡ−Ａ拡大断面図である。
【図７】本発明の施工時の一例を示す正面図である。
【図８】本発明の施工時の葺上げ途中の一例を示す一部切欠斜視図である。
【図９】折曲を容易とするための易折曲用凹欠部を設けた他の実施例のジョイント金具本体の展開正面図である。
【図１０】従来品の施工時の一例を示す一部切欠斜視図である。
【符号の説明】
１    ジョイント金具本体
２    凹欠部
３    突片部
４，４    傾斜縁
４ａ，４ａ    易折曲用凹欠部
５，５    両外側縁
６，６    仮想折曲線
７，７    仮想折曲線
８，８    仮想折曲線
９    仮想折曲線
９ａ，９ａ    仮想折曲線
１０    屋根板押え部
１１，１１    屋根板受け板部
１１ａ，１１ａ    突合せ縁部
１１ｂ，１１ｂ    突合せ縁部
１１ｃ，１１ｃ    位置ぎめマーク
１２，１２    屋根板挿入間隙
１２ａ，１２ａ    庇状の雨水浸入防止用折曲片部
１２ｂ    間隙
１３    係止鈎部
１４，１４    折曲縁
１５，１５    雨水浸入防止用折曲片部
１６，１６    凸条リブ部
１７    被覆紙付き防水用コーキング材
１７ａ    上縁部
１８    被覆紙
１９    屋根下地
２０    屋根板
２０ａ，２０ａ    側端縁
２０ｂ，２０ｂ    ルーズ釘止孔
２０ｃ，２０ｃ    釘止め縁部
２０ｄ，２０ｄ    釘止め突起
２１    止着具
【図１】
0003677512.tif 000002
【図２】
0003677512.tif 000003
【図３】
0003677512.tif 000004
【図４】
0003677512.tif 000005
【図５】
0003677512.tif 000006
【図６】
0003677512.tif 000007
【図７】
0003677512.tif 000008
【図８】
0003677512.tif 000009
【図９】
0003677512.tif 000010
【図１０】
0003677512.tif 000011